(57)【特許請求の範囲】
【請求項１】
スイッチを備える入力指示手段と、
前記スイッチの指示位置の状態を検知する検知手段と、
所定のプログラムを起動するとともに、前記入力指示手段による文字入力が可能となるように制御する制御手段と、
を備え、
前記制御手段は、前記所定のプログラムで利用されている文字の中から、前記スイッチの指示位置が特定の指示位置の状態において前記入力指示手段によって指定された文字を、前記所定のプログラムとは別のプログラムで利用可能とするように制御する
ことを特徴とする情報端末装置。
【請求項２】
前記入力指示手段は、複数のスイッチを備え、
前記制御手段は、前記所定のプログラムで利用されている文字の中から、前記複数のスイッチのうちいずれか１つのスイッチの指示位置が特定の指示位置の状態において前記入力指示手段によって指定された文字を、前記所定のプログラムとは別のプログラムで利用可能とするように制御する
ことを特徴とする請求項１に記載の情報端末装置。
【請求項３】
前記複数のスイッチは、前記入力指示手段の側面に配設されることを特徴とする請求項２に記載の情報端末装置。
【請求項４】
前記複数のスイッチは、前記入力指示手段の側面の先端側に配設されることを特徴とする請求項３に記載の情報端末装置。
【請求項５】
入力指示手段に設けられたスイッチの指示位置の状態を検知し、
所定のプログラムを起動するとともに、前記入力指示手段による文字入力が可能となるように制御し、
前記所定のプログラムで利用されている文字の中から、前記スイッチの指示位置が特定の指示位置の状態において前記入力指示手段によって指定された文字を、前記所定のプログラムとは別のプログラムで利用可能とするように制御する
情報端末装置の制御方法。
【請求項６】
スイッチが設けられた入力指示手段の指示位置を検知して入力を行う情報端末装置のコンピュータに実行させる制御プログラムであって、
前記コンピュータを
前記スイッチの指示位置の状態を検知する検知手段、
所定のプログラムを起動するとともに、前記入力指示手段による文字入力が可能となるように制御する制御手段
として機能させ、
前記制御手段は、
前記所定のプログラムで利用されている文字の中から、前記スイッチの指示位置が特定の指示位置の状態において前記入力指示手段によって指定された文字を、前記所定のプログラムとは別のプログラムで利用可能とするように制御する
ことを特徴とする制御プログラム。
【発明の詳細な説明】
【技術分野】
【０００１】
本発明は、スマートフォンやＰＤＡ(Personal Digital Assistant)等の入力に用いて好
適な情報端末装置、情報端末装置の制御方法、及び情報端末装置の制御プログラムに関する。
【背景技術】
【０００２】
近年、スマートフォンと呼ばれる携帯端末が普及している。このような携帯端末は、タッチパネルを搭載して、ほとんどの操作を手書き入力で行うことができる。タッチパネルの入力では、指で入力、或いは専用のペンで入力を行う方法がある。しかしながら、このようなタッチパネルの操作では、モード切り替えの操作も、その都度、画面を触ることで入力しており、通常紙に手書きで書くよりも操作が増え、入力においては使い勝手が不便である。
【０００３】
また、特許文献１（特開２００９−１５７４４６号）には、操作が手書き入力かメニュー操作かを選択するモード選択スイッチを有するものが記載されている。特許文献２（特開平７−１６０３９８）には、ノックスイッチの切り替え信号に基づいて、描画モードを設定するものが記載されている。
【先行技術文献】
【特許文献】
【０００４】
【特許文献１】特開２００９−１５７４４６号公報
【特許文献２】特開平７−１６０３９８号公報
【発明の概要】
【発明が解決しようとする課題】
【０００５】
特許文献１に示されるものでは、タッチペンに設けられているモード選択スイッチにより、手書き入力処理とメニュー処理の２つのモードが選択できる。しかしながら、特許文献１に示されるものでは、２モードの中から１つのモードを選択するものであり、多数のモードに設定できない。また、特許文献１に示すような１つのモード選択スイッチの場合には、例えばスイッチを押した回数により、多数のモードに選択できるようにすることが考えられる。しかしながら、スイッチを押した回数によりモードを設定するようにした場合、スイッチの状態からではモードの設定状態を把握することは難しく、モードの設定状態を確認するには、装置の表示部の表示を見る必要がある。
【０００６】
特許文献２に示されるものでは、タッチペンに設けられているノックスイッチのモード選択スイッチにより、描画モードを切り替えている。このようなノックスイッチでは、操作を行うのに、タッチペンを画面に接触させる必要がある。
【０００７】
そこでこの発明は、上述の課題を解決することのできる情報端末装置、情報端末装置の制御方法、情報端末装置の制御プログラムを提供することを目的としている。
【課題を解決するための手段】
【０００８】
上記目的を達成するために、本発明は、スイッチを備える入力指示手段と、前記スイッチの指示位置の状態を検知する検知手段と、所定のプログラムを起動するとともに、前記入力指示手段による文字入力が可能となるように制御する制御手段と、を備え、前記制御手段は、前記所定のプログラムで利用されている文字の中から、前記スイッチの指示位置が特定の指示位置の状態において前記入力指示手段によって指定された文字を、前記所定のプログラムとは別のプログラムで利用可能とするように制御することを特徴とする情報端末装置である。
【０００９】
また本発明は、入力指示手段に設けられたスイッチの指示位置の状態を検知し、所定のプログラムを起動するとともに、前記入力指示手段による文字入力が可能となるように制御し、前記所定のプログラムで利用されている文字の中から、前記スイッチの指示位置が特定の指示位置の状態において前記入力指示手段によって指定された文字を、前記所定のプログラムとは別のプログラムで利用可能とするように制御する情報端末装置の制御方法である。
【００１０】
また本発明は、スイッチが設けられた入力指示手段の指示位置を検知して入力を行う情報端末装置のコンピュータに実行させる制御プログラムであって、前記コンピュータを前記スイッチの指示位置の状態を検知する検知手段、所定のプログラムを起動するとともに、前記入力指示手段による文字入力が可能となるように制御する制御手段として機能させ、前記制御手段は、前記所定のプログラムで利用されている文字の中から、前記スイッチの指示位置が特定の指示位置の状態において前記入力指示手段によって指定された文字を、前記所定のプログラムとは別のプログラムで利用可能とするように制御することを特徴とする制御プログラムである。
【発明の効果】
【００１１】
本発明によれば、タッチペンに備えられた複数のスイッチの状態で、多数の機能を設定することができる。また、本発明によれば、複数のモードに直接変更できる。また、本発明によれば、スイッチの状態から設定モードを簡単に視認することができる。
【図面の簡単な説明】
【００１２】
【図１】情報端末装置の機能ブロック図である。
【図２】本発明の第１の実施形態に係る情報端末装置の機能ブロック図である。
【図３】本発明の第１の実施形態に係るタッチペンの構成を示す平面図及び側面図である。
【図４】タッチペンのスイッチの切り替え状態を示す側面図である。
【図５】スイッチの状態と設定モードとの関係を示す設定テーブルの説明図である。
【図６】タッチペンの内部構成を示すブロック図である。
【図７】タッチパネルにタッチペンを使って文字を入力する場合の処理を示すフローチャートである。
【図８】本発明の第２の実施形態に係るタッチペンの構成を示す側面図である。
【図９】本発明の第３の実施形態の説明図である。
【図１０】本発明の第４の実施形態の説明図である。
【発明を実施するための形態】
【００１３】
以下、本発明の実施の形態について図面を参照しながら説明する。
＜基本構成＞
図１は情報端末装置の機能ブロック図である。
図１に示すように、本発明の第１の実施形態に係る情報端末装置は、本体１と、タッチペン２（入力指示手段）とからなる。タッチペン２は、その先端が尖鋭の形状となっており、その側面に本体１に備えられた手書き入力表示装置１１のモードを切り替えるための複数のスイッチ２１ａ、２１ｂ、２１ｃが設けられている。
また、本体１には、タッチペン２と通信を行う通信部１０、入力表示装置１１、メイン制御部１２（機能設定手段）、スイッチ検知部１１１を備えている。
このような情報端末装置においては、スイッチ検知部１１１（検知手段）が、タッチペン２との通信によって通信部１０が取得した情報をメイン制御部１２から取得し、その情報に基づいて、タッチペン２の複数のスイッチ２１ａ〜２１ｃのそれぞれの指示位置の状態を検知する。そして、メイン制御部１２が、スイッチ検知部１１１の検知した複数のスイッチの指示位置に基づき機能を設定する。
【００１４】
＜第１の実施形態＞
図２は、本発明の第１の実施形態に係る情報端末装置の機能ブロック図である。
図１を用いて説明したように、図２に示す情報端末装置は、本体１と、タッチペン２とからなる。タッチペン２は、その先端が尖鋭の形状となっており、その側面に本体１の手書き入力表示装置１１のモードを切り替えるための複数のスイッチ２１ａ、２１ｂ、２１ｃが設けられている。
【００１５】
本体１は、無線の送受信を行うための無線通信部１０１、キー入力を行うキー入力部１０２、ソフトプログラムやデータが格納されているＲＯＭ(Read Only Memory)１０３、プログラムを実行するためのＲＡＭ(Random Access Memory)１０４、ユーザデータを保存するためのデータフォルダ１０５、電話の送話音を送信データに変換して送るための送話部１０６、受信データを受けて受話音に変換する受話部１０７、音を出力するためのスピーカ部１０８、外部のディジタル機器と無線で接続するための近距離無線通信部１０９、手書き入力表示装置１１及びこれらを制御するメイン制御部１２から構成される。
【００１６】
手書き入力表示装置１１は、データや画像を表示させる表示部１１５、表示部１１５を制御する表示制御部１１４、表示部１１５の表面に積層されて設けられる手書き入力を行うためのタッチパネル１１３、タッチパネル１１３を制御するタッチパネル制御部１１２、タッチペン２のスイッチ２１ａ、２１ｂ、２１ｃの状態を検知するスイッチ検知部１１１から構成される。
【００１７】
無線通信部１０１は、電話やインターネット通信を行うときに電波の送受信を制御し、メイン制御部１２からの命令に従い電波の送受信を行う。
キー入力部１０２は電源のＯＮ／ＯＦＦ、通話、文字や記号を入力したり、キャンセルしたりする入力されたキーの信号をメイン制御部１２に伝える。
【００１８】
ＲＯＭ１０３はメイン制御部１２が実行するためプログラムや辞書などの固定的なデータを格納したメモリである。ＲＡＭ１０４は、メイン制御部１２がプログラムを実行する上で一時的に必要とされるデータを格納するメモリである。
送話部１０６は電話で話すときにメイン制御部１２からの命令で音声を電気信号に変換して送信する。受話部１０７は受信した電気信号を音声に変換してメイン制御部１２に伝える。メイン制御部１２から音を出力する命令でスピーカ部１０８は音や音楽などを出す。
【００１９】
近距離無線通信部１０９は、無線により各種のディジタル機器を接続するもので、例えばＢｌｕｅｔｏｏｔｈ（登録商標）が用いられる。
表示部１１５は、液晶パネル、ＬＥＤ(Light Emitting Diode)のバックライトから構成されている。表示部１１５は、メイン制御部１２から表示する命令を受けて、表示を行ったり、明るさを調整したりする。表示部１１５の上には、タッチパネル１１３が積層されている。タッチパネル１１３は、ペンや指で触ったところを検知してメイン制御部１２に伝える。スイッチ検知部１１１は、タッチペン２に設けられている複数のスイッチ２１ａ、２１ｂ、２１ｃのＯＮ、ＯＦＦの状態を検知して、メイン制御部１２に伝える。
【００２０】
図３は本発明の第１の実施形態に係るタッチペン２の構成を示す平面図及び側面図である。図３に示すように、タッチペン２は、先端の部分が尖鋭の棒状の形状となっており、その側面に３個のスイッチ２１ａ、２１ｂ、２１ｃを有している。スイッチ２１ａは赤のモードに設定するためのスイッチである。スイッチ２１ｂは青のモードに設定するためのスイッチである。スイッチ２１ｃは緑のモードに設定するためのスイッチである。
【００２１】
図４はタッチペン２のスイッチ２１ａ、２１ｂ、２１ｃの切り替え状態を示す側面図である。スイッチ２１ａ、２１ｂ、２１ｃが図４（Ａ）の状態になっているときはＯＦＦとなり、図４（Ｂ）の状態になっているときはＯＮとなる。スイッチ２１ａ、２１ｂ、２１ｃは図４（Ａ）の状態から、押すことで図４（Ｂ）の状態に固定される。図４（Ｂ）の状態で再度押すと図４（Ａ）の状態となり、ＯＦＦとなる。
【００２２】
図５は、スイッチ２１ａ、２１ｂ、２１ｃの状態と設定モードとの関係を示す設定テーブル４０１の説明図である。図５に示すように、スイッチ２１ａ（赤のスイッチ）、スイッチ２１ｂ（青のスイッチ）、スイッチ２１ｃ（緑のスイッチ）の状態の組み合わせに基づいてモードが変わる。これらのスイッチ２１ａ、２１ｂ、２１ｃは、複数を同時にＯＮさせることも可能であり、また、複数を同時にＯＦＦさせることも可能である。
【００２３】
図５に示すように、全てのスイッチ２１ａ、２１ｂ、２１ｃがＯＦＦのときには、黒で入力するモードとなる。
【００２４】
スイッチ２１ａがＯＮで、スイッチ２１ｂとスイッチ２１ｃがＯＦＦのときは赤で入力するモードとなる。スイッチ２１ｂがＯＮで、スイッチ２１ａとスイッチ２１ｃの２個のスイッチがＯＦＦのときは青で入力するモードとなる。スイッチ２１ｃがＯＮで、スイッチ２１ａとスイッチ２１ｂの２個のスイッチがＯＦＦのときは緑で入力するモードとなる。
【００２５】
スイッチ２１ａとスイッチ２１ｂがＯＮで、スイッチ２１ｃがＯＦＦのときはマゼンタで入力するモードとなる。スイッチ２１ｂとスイッチ２１ｃがＯＮで、スイッチ２１ａがＯＦＦのときはシアンで入力するモードとなる。スイッチ２１ａとスイッチ２１ｃがＯＮで、スイッチ２１ｂがＯＦＦのときは黄で入力するモードとなる。
全てのスイッチを押した状態、すなわち全てＯＮのときは、白で入力するモードとなる。
【００２６】
図６はタッチペン２の内部構成を示すブロック図である。図６に示すように、タッチペン２には、制御部１２１と、近距離無線通信部１２２とが設けられる。制御部１２１に対して、スイッチ２１ａ、２１ｂ、２１ｃが設けられる。
【００２７】
近距離無線通信部１２２は、例えばＢｌｕｅｔｏｏｔｈ（登録商標）の通信部であり、本体１側の近距離無線通信部１０９と通信を行う。スイッチ２１ａ、２１ｂ、２１ｃのＯＮ／ＯＦＦ状態は、制御部１２１でエンコードされ、近距離無線通信部１２２から送信される。この送信信号は、本体１側の近距離無線通信部１０９で受信され、メイン制御部１２から、スイッチ検知部１１１に送られる。スイッチ検知部１１１は、タッチペン２の近距離無線通信部１２２から、本体１側の近距離無線通信部１０９に送られてきた信号をデコードして、スイッチ２１ａ、２１ｂ、２１ｃの状態を検知する。
【００２８】
また、図２におけるタッチパネル１１３上で、タッチペン２の先端が接触されると、その指示された座標位置がメイン制御部１２で判定される。これにより、タッチペン２を使って、コマンド入力や手書き文字入力を行うことができる。
【００２９】
図７は本体１のタッチパネル１１３にタッチペン２を使って文字を入力する場合の処理を示すフローチャートである。
【００３０】
まず、本体１側で、Ｅメール、Ｃメール、メモ帳、アドレス帳など、文字を入力するアプリケーションを起動する（ステップＳ５１）。すなわち、利用者は、表示部１１５に表示された所望のアイコンをキー入力或いはタッチペン２によりアイコンをタップする。メイン制御部１２は、キー入力部１０２又はタッチパネル１１３からアプリケーションを起動する信号を受けると、アプリケーションを起動する。ここでは、例えば、アプリケーションとして、Ｅメールを起動したものとする。
【００３１】
アプリケーションが起動されると、表示部１１５には、アプリケーション画面が表示される（ステップＳ５２）。例えば、アプリケーションとして、Ｅメールが起動されると、表示部１１５には、メールアドレス、件名、本文などの入力画面が表示される。タッチペン２で入力するときは、利用者は、入力したいところをタップする。利用者が例えば本文の部分をタップすると、本文の入力が手書き入力モードとなり、文字入力画面が表示される。
【００３２】
次に、本体側のスイッチ検知部１１１は、タッチペン２のスイッチ２１ａ、２１ｂ、２１ｃの状態を検知して、メイン制御部１２に伝える（ステップＳ５３）。
メイン制御部１２は、タッチペン２のスイッチ２１ａ、２１ｂ、２１ｃの状態を受信すると、図５に示した設定テーブル４０１を参照して、スイッチ２１ａ、２１ｂ、２１ｃの状態に対応した文字表示色のモードに設定する（ステップＳ５４）。
【００３３】
利用者は、タッチペン２で文字を入力する（ステップＳ５５）。タッチペン２から文字を入力されたときに、タッチパネル１１３に触れたところの位置と同じ位置に対応する表示部１１５に、文字を設定された色で表示する（ステップＳ５６）。
【００３４】
以上説明したように、本発明の第１の実施形態では、タッチペン２に複数のスイッチ２１ａ、２１ｂ、２１ｃが設けられており、これらの複数のスイッチ２１ａ、２１ｂ、２１ｃに各機能が割り振られるだけでなく、これらの組み合わせに機能が割り振られる。すなわち、上述の例では、スイッチ２１ａ、２１ｂ、２１ｃにそれぞれ赤色、青色、緑色が割り振られるだけでなく、スイッチ２１ａ、２１ｂ、２１ｃの組み合わせにより、黒、白、マゼンタ、シアン、黄色等、より多数の色が割り振られる。
【００３５】
また、本発明の第１の実施形態では、タッチペン２に複数のスイッチ２１ａ、２１ｂ、２１ｃが設けられていることから、複数のモードに直接変更できる。また、本発明の第１の実施形態では、スイッチ２１ａ、２１ｂ、２１ｃの状態が固定できるので、電源を切ってからの再立ち上げでも、前の状態を維持できる。また、本発明の第１の実施形態では、スイッチ２１ａ、２１ｂ、２１ｃの状態から、現在のモードを判別することができる。
【００３６】
なお、上述の例では、スイッチ２１ａ、２１ｂ、２１ｃの状態と文字の色モードとを対応させているが、スイッチ２１ａ、２１ｂ、２１ｃの状態に対応させるモードは、文字の色モードばかりでなく、各種のものが考えられる。
【００３７】
例えば、スイッチ２１ａ、２１ｂ、２１ｃの状態と、フォント種類（明朝、ゴシックなど）とを対応させ、スイッチ２１ａ、２１ｂ、２１ｃの状態によりフォントが設定できるようにしても良い。
【００３８】
また、スイッチ２１ａ、２１ｂ、２１ｃの状態と、文字飾り（上付き、下付き、強調、アンダーラインなど）とを対応させ、スイッチ２１ａ、２１ｂ、２１ｃの状態により文字飾りが設定できるようにしても良い。
【００３９】
また、スイッチ２１ａ、２１ｂ、２１ｃの状態と、文字コード（UNICODE、JIS等）とを対応させ、スイッチ２１ａ、２１ｂ、２１ｃの状態により文字コードが設定できるようにしても良い。
【００４０】
更に、スイッチ２１ａ、２１ｂ、２１ｃの状態と、文字種類（ひらがな、カタカナ、英数字）とを対応させ、スイッチ２１ａ、２１ｂ、２１ｃの状態により文字種類が設定できるようにしても良い。
【００４１】
また、スイッチ２１ａ、２１ｂ、２１ｃの状態と、設定されるモードとの対応関係を利用者が設定できるようにしても良い。
【００４２】
また、上述の例では、３つのスイッチ２１ａ、２１ｂ、２１ｃを用いているが、スイッチの数はこれに限定されるものではない。２個、又は４個以上等、タッチペン２に設けるスイッチの数としては、どのような数であっても良い。
【００４３】
また、上述の例では、スイッチ２１ａ、２１ｂ、２１ｃとして、状態が固定されるものを用いているが、押している間だけＯＮとなり、離すとＯＦＦになるような動的なスイッチを使っても良い。このようなスイッチの場合、押している間だけ機能が切り替わるようになる。
【００４４】
＜第２の実施形態＞
図８は、本発明の第２の実施形態に係るタッチペンの構成を示す側面図である。図８に示すように、本発明の第２の実施形態に係るタッチペン６０１では、複数のスイッチ６０２の位置を、ペン先に近い場所にしている。スイッチ６０２の位置をタッチペン６０１を持ったときにペン先に近い位置にすることで、人指し指あるいは親指の近くになり、ペンを握った状態でスイッチ６０２の操作を行い易い位置となる。また、スイッチ６０２の位置をタッチペン６０１を持ったときにペン先に近い位置にすることで、タッチペン６０１で書きながら握り変えることなくスイッチ６０２を押すことも可能になる。スイッチ６０２は、押すと押した状態にロックされ、再度押すとロックが外れて押していない状態に戻る。図８（Ａ）はスイッチ６０２がＯＦＦでロックされていない状態を示す。図８（Ｂ）はスイッチ６０２がＯＮでロックされた状態を示す。
【００４５】
＜第３の実施形態＞
図９は、本発明の第３の実施形態の説明図である。この第３の実施形態では、タッチペン７０２の複数のスイッチ７０３のうちに１つを押すことで、本体側でアプリケーションを起動することができる。ここでは、待ち受け画面から、タッチペン７０２のスイッチ７０３のうちに１つを押すことで、簡易ブログ（Ｔｗｉｔｔｅｒ：登録商標）の入力モードに切り替わる機能の例を示す。
【００４６】
図９（Ａ）は待ち受け時の画面７０１を示し、図９（Ｂ）は簡易ブログ入力画面７０４を示す。図９（Ａ）に示すように、待ち受け時の画面７０１では、タッチペン７０２のスイッチ７０３は全てＯＦＦの状態になっている。
【００４７】
図９（Ａ）に示す待ち受け画面７０１の状態から、タッチペン７０２のスイッチ７０３のうちに１つを押すと、スイッチ検知部１１１がスイッチの状態を検知し、メイン制御部１２が、図９（Ｂ）に示すように、簡易ブログ入力画面７０４へ切り替える。
【００４８】
簡易ブログ入力画面７０４が表示されている状態で、タッチペン７０２のスイッチ７０３がＯＮの状態のときに、スイッチ７０３をＯＦＦに戻すと、スイッチ検知部１１１がスイッチの状態を検知し、メイン制御部１２が、画面が待ち受け画面７０１へ切り替える。
【００４９】
なお、ここでは待ち受け画面７０１から簡易ブログ入力画面７０４に切り替える場合の説明であるが、このスイッチよる画面の切り替えは、待ち受け以外の画面からも行うことができる。スイッチ７０３を戻したときはスイッチを押すときの直前の画面に戻る。
【００５０】
＜第４の実施形態＞
図１０は、本発明の第４の実施形態の説明図である。この実施形態では、タッチペン８０１で文字入力を行っている際に、タッチペン８０１の複数のスイッチ８０２のうちの１つを押している間に入力した文字だけを、他のアプリケーションに自動的に入力する機能を有している。
【００５１】
図１０（Ａ）は、Ｅメールの新規作成の画面８０３を示す。タッチペン８０１のスイッチ８０２はＯＦＦとなっている。この場合、タッチペン８０２で入力した文字は、Ｅメールの入力になる。
【００５２】
図１０（Ｂ）は、タッチペン８０１のスイッチ８０２のうちの１つをＯＮにしたときの画面８０４を示す。スイッチ８０２のうちの１つをＯＮにしたときには、スイッチ検知部１１１がスイッチの状態を検知し、次にメイン制御部１２が、文字入力する場所８０６が反転して表示し、これにより、簡易ブログの入力モードに切り替わったことを示す。ここで、タッチペン８０１のスイッチ８０２のうちの１つがＯＮの状態で入力した文字は、そのまま自動的に簡易ブログから発信する文字になる。
【００５３】
図１０（Ｃ）は、Ｅメールで、右側に簡易ブログの入力画面８０７が表示された画面８０５を示す。図１０（Ｃ）に示す画面８０５は、タッチペン８０１のスイッチ８０２のうちの１つをＯＮにして、入力した文字が簡易ブログの入力画面８０７でも入力されていることがわかるように表示される。
【００５４】
本発明は、上述した実施形態に限定されるものではなく、この発明の要旨を逸脱しない範囲内で様々な変形や応用が可能である。
【符号の説明】
【００５５】
１：本体
２：タッチペン（入力指示手段）
１１：入力表示装置
１２：メイン制御部（機能設定手段）
２１ａ，２１ｂ，２１ｃ：スイッチ
１０１：無線通信部
１０２：キー入力部
１０５：データフォルダ
１０６：送話部
１０７：受話部
１０８：スピーカ部
１０９：近距離無線通信部
１１１：スイッチ検知部（検知手段）
１１２：タッチパネル制御部
１１３：タッチパネル
１１４：表示制御部
１１５：表示部
１２１：制御部
１２２：近距離無線通信部
【図１】
0005928550.tif 000002
【図２】
0005928550.tif 000003
【図３】
0005928550.tif 000004
【図４】
0005928550.tif 000005
【図５】
0005928550.tif 000006
【図６】
0005928550.tif 000007
【図７】
0005928550.tif 000008
【図８】
0005928550.tif 000009
【図９】
0005928550.tif 000010
【図１０】
0005928550.tif 000011